(57)【要約】【課題】端子数を減らした状態で、なおかつ外部ビデオ入力を自動判別する。【解決手段】外部ビデオ信号が供給される第１と第２の端子部３０Ａ，３０Ｂで構成される。第１の端子部には、第２の外部ビデオ信号のオーディオ信号用としても兼用される入力端子３５，３６がある。これらの端子部はピンジャックである。端子部３０Ａは、コンポーネント信号（Ｙ／Ｃｒ／Ｃｂ）用の３本の入力端子３２〜３４と、左右のオーディオ信号用として２本の入力端子３５，３６で構成される。端子部３０Ｂはコンポジット信号（Ｙ／Ｃ）用として１本の入力端子３８で構成される。オーディオ信号用端子を兼用構成とすることで６本の入力端子だけで、２入力形式の外部ビデオ信号入力部を構成できる。入力端子３２は、検知スイッチ３９付きの入力端子である。検知スイッチによって輝度信号Ｙの入力状態を判別することで、外部ビデオ入力モードが、コンポーネント信号かコンポジット信号かを自動的に判断し、色信号処理系を自動的に切り替える。【選択図】        図３
2007006150.tif 000002
【特許請求の範囲】
【請求項１】
信号形式の異なる第１および第２の外部ビデオ信号が供給される第１および第２の端子部と、
この第１の端子部を構成する複数の入力端子のうちの１つの入力端子に設けられた上記外部ビデオ信号の入力を検知する検知スイッチと、
このビデオ信号検知スイッチからの検知信号が供給される制御部とからなり、
上記検知信号によって入力した外部ビデオ信号が上記第１の外部ビデオ信号か、第２の外部ビデオ信号かを自動判別するようにした
ことを特徴とするテレビ受像機。
【請求項２】
上記第１の端子部には、上記第１の外部ビデオ信号と第２の外部ビデオ信号用のオーディオ信号をそれぞれ兼用する入力端子が設けられた
ことを特徴とする請求項１記載のテレビ受像機。
【請求項３】
上記第１と第２の外部ビデオ信号に対応した色信号処理部系を、上記制御部からの制御信号によって選択する色信号変換部を有し、
上記検知信号に応じて上記色信号処理系が自動的に選択される
ことを特徴とする請求項１記載のテレビ受像機。
【請求項４】
上記入力端子はピンジャックであって、この入力端子に付随する上記検知スイッチにはプルアップ抵抗器が接続された
ことを特徴とする請求項１記載のテレビ受像機。
【請求項５】
上記第１の外部ビデオ信号はコンポーネント信号であり、上記第２の外部ビデオ信号はコンポジット信号である
ことを特徴とする請求項１記載のテレビ受像機。
【発明の詳細な説明】
【技術分野】
【０００１】
この発明はテレビ受像機に関する。詳しくは、手軽に取り外しができる外部入力端子部を受像機本体の側面などに設ける場合、外部入力端子数をできるだけ少なくすると共に、外部入力信号形式（タイプ）を自動認識できるようにして信号処理系などの切り替えを自動化できるようにしたものである。
【背景技術】
【０００２】
テレビ受像機にはその本体背面側には、信号形式（タイプ）の異なる多数の外部ビデオ信号を選択できるような外部入力端子部が設けられている。これとは別に、本体側面や前面、例えば側面に、手軽に信号ケーブルを接続したり、取り外しができる外部入力端子部があると非常に便利である。
【０００３】
本体側面にこのような外部入力端子部を取り付ける場合、テレビ受像機によっては充分な取り付け面積を確保できない場合がある。例えば、テレビ受像機として液晶テレビやプラズマテレビなどのような薄型のテレビ受像機であるときは、本体側面部の厚みが余りないので、本体背面部と同じ数の外部ビデオ信号を取り扱うことはできない。したがって使用に際して限定はされるものの、使用頻度の高い信号形式の外部ビデオ信号だけでも取り扱えると非常に便利である。使用頻度の高い外部ビデオ信号としては、例えばコンポーネント信号とコンポジット信号が考えられる。
【０００４】
ところで、このように２個所に外部入力端子部を備えたテレビ受像機の場合には、外部ビデオ信号の選択およびその信号処理系は図６のようになる。図６において、本体背面側には外部入力端子部２０が設けられ、本体側面側には外部入力端子部３０が設けられる。
【０００５】
背面側の外部入力端子部２０で選択できる外部ビデオ信号としては、通常７〜８種類程度のビデオ信号をセットできるようになされている。これらのビデオ信号としては、２系統のコンポジット信号（コンポジット１および２）、２系統のコンポーネント信号（コンポーネント１および２）の他に、パーソナルコンピュータから出力されたＰＣ信号（何れもアナログ信号）と、デジタル信号であるＨＤＭＩ信号（High Definition Multimedia Interface）などのビデオ信号を挙げることができる（対応する左右のオーディオ信号を含むものとする）。これら外部ビデオ信号を総称して外部ビデオ信号ＳＢと言う。これに対して、側面側の外部入力端子部３０では、上述したように２種類のビデオ信号（総称してビデオ信号ＳＳという）の何れかが選択される。
【０００６】
外部ビデオ信号ＳＢおよびＳＳは信号切り替え部４０に供給されて何れかの外部入力端子部２０又は３０の外部ビデオ信号が選択される。選択されたこれらの外部ビデオ信号ＳＢ，ＳＳは、その信号形式としてコンポーネントタイプとコンポジットタイプがある。これらコンポーネント信号かコンポジット信号のうち色信号系は、後段のビデオＩＣ回路である色信号変換部５０で、Ｕ軸信号とＶ軸信号に変換されて、デジタルのＹ／Ｕ／Ｖ信号が生成される。このＹ／Ｕ／Ｖ信号はさらに映像処理部６０に供給されて映像モニタ７０のサイズに応じた原色信号（Ｒ／Ｇ／Ｂ信号）に変換される。その後映像モニタ７０に供給されて、映像が再現される。映像モニタ７０は、ＬＣＤ（液晶）モニタやプラズマモニタ、有機ＥＬモニタなどの平面モニタ（薄型モニタ）が使用される。
【０００７】
切り替え部４０より出力された左右のオーディオ信号Ｌ／Ｒはオーディオ処理回路８０、オーディオアンプ９０を経てこの例では左右のスピーカ９２Ｌ，９２Ｒに供給される。切り替え部４０などはＣＰＵよりなる制御部１００からの制御信号によって所望のごとく処理される。
【０００８】
図６の例では、背面側の外部入力端子部２０に３つ以上の外部ビデオ信号が供給され、側面側の外部入力端子部３０では２つの外部ビデオ信号が供給されるので、制御部１００では、これらの外部ビデオ入力を選択するための切り替え制御が行われる。そのため、制御部１００内に格納されたビデオ選択メニューでは図７のようなトグルフローとなされ、リモコンなどを操作することで、テレビ画面（オンエア画面）から順に８つの外部ビデオ入力（Ｖ１〜Ｖ８）が選択される。外部ビデオ入力Ｖ１〜Ｖ６までが背面側の外部ビデオ入力のメニュー選択であり、残りの外部ビデオ入力Ｖ７，Ｖ８が側面側の外部ビデオ入力のメニュー選択である。
【０００９】
なお、複数の入力信号の接続状態を差し替えることなく、入力信号の切り替え状態を変更できるようにしたスイッチ付きの外部入力端子部の構成については、特許文献１などにおいて、既に知られている。
【００１０】
【特許文献１】特開平５−６４２１５号公報
【発明の開示】
【発明が解決しようとする課題】
【００１１】
ところで、上述したように、テレビ受像機として特に薄型のテレビ受像機を考えた場合、その側面部の厚みが薄いのと、その縦方向でも取り付けるべき場所が限定される可能性があることから、外部入力端子部としてはできるだけピンジャック数が少ない小面積のものであるのが好ましい。
【００１２】
そのため、上述したように取り扱えるビデオ信号が、コンポーネント信号（Ｙ／Ｃｒ／Ｃｂ）とコンポジット信号（Ｙ／Ｃ）の２種類に限定した場合にあって、
信号ケーブル端子としてピンプラグが使用されているときは、コンポーネント信号は３個のピンジャックと、左右のオーディオ信号（Ｌ／Ｒ）用として２個のピンジャックが必要になる。さらに、コンポジット信号用として１個（１本）のピンジャックと、左右のオーディオ信号（Ｌ／Ｒ）として２個のピンジャックが必要になるから、トータルすると８個のピンジャックを備えた外部入力端子部を使用しなければならない。
【００１３】
しかし、このようにピンジャックが８個にもなると、一列に配列すれば長すぎるし、数列に配列使用とするとその面積も大きくならざるを得ない。また、背面側に加えてこのように側面側にも外部入力端子部を設けるときは、メニュー画面において希望する外部ビデオ入力を選択するには、何回も繰り返し操作しないと目的の外部ビデオ入力に辿り着くことができない。非常に面倒なビデオ入力選択作業となってしまう。特に、側面側の外部入力端子部にあっては、できれば外部入力ビデオの自動判別を行えるのが好ましい。
【００１４】
もちろん、背面側の外部入力端子部を考慮しない場合でも、つまり外部入力端子部が１つしか設けられていない場合でも、外部ビデオ入力端子数を削減できれば、コスト削減等に寄与することは明らかである。
【００１５】
そこで、この発明はこのような従来の課題を解決したものであって、特に外部ビデオ入力端子数を削減すると共に、供給された外部入力ビデオ信号を自動的に判別できるようにしたもので、これによって外部ビデオ信号に関連した色信号処理系などを自動的に選択できるようにしたテレビ受像機を提案するものである。
【課題を解決するための手段】
【００１６】
上述の課題を解決するため、請求項１に記載したこの発明に係るテレビ受像機では、信号形式の異なる第１および第２の外部ビデオ信号が供給される第１および第２の端子部と、
この第１の端子部を構成する複数の入力端子のうちの１つの入力端子に設けられたビデオ信号検知スイッチと、
このビデオ信号検知スイッチからの検知信号が供給される制御部とからなり、
上記検知信号によって入力した外部ビデオ信号が上記第１の外部ビデオ信号か、第２の外部ビデオ信号かを自動判別するようにしたことを特徴とする。
【００１７】
この発明では、テレビ受像機の外部ビデオ信号入力部としての外部入力端子部が、信号形式の異なる第１および第２の外部ビデオ信号が供給される第１および第２の端子部で構成される。第１の端子部には、第２の外部ビデオ信号のオーディオ信号用としても兼用される入力端子がさらに設けられている。第１および第２の端子部は何れもピンジャックが使用される。
【００１８】
この例では、第１の外部ビデオ信号はコンポーネント信号であり、第２の外部ビデオ信号はコンポジット信号であるので、第１の端子部はコンポーネント信号（Ｙ／Ｃｒ／Ｃｂ）用として３本の入力端子と、左右のオーディオ信号用として２本の入力端子で構成される。したがって、第２の端子部はコンポジット信号（Ｙ／Ｃ）用として１本の入力端子で構成される。このようにオーディオ信号用の入力端子を兼用構成とすれば６本の入力端子だけで、２入力形式の外部ビデオ信号入力部を構成できる。
【００１９】
第１の端子部を構成する１つの入力端子は、スイッチ付きの入力端子が使用され、このスイッチが外部ビデオ信号の検知スイッチとして機能する。この入力端子にはコンポーネント信号のうち輝度信号Ｙが供給される。この輝度信号Ｙの入力状態を判別することで、外部ビデオ入力モードが、コンポーネント信号かコンポジット信号かを判断している。
【００２０】
この外部入力端子部をテレビ受像機本体の側面部に取り付けるときは、その背面部にも多数の外部ビデオ信号を選択できる外部入力端子部が設けられている。そのようなときは、側面側外部入力端子部と背面側外部入力端子部とをメニュー画面で選択する。側面側外部入力端子部を選択したときには、この側面側外部入力端子部にどのような信号形式の外部ビデオ信号が供給されているかは、上述した検知スイッチによって判断する。
【００２１】
コンポーネント信号が供給されていないときは検知スイッチのオンオフ状態は変わらないから、この場合の検知信号レベル（ＧＮＤ）のときは、コンポジット信号が供給されているものと判断して、制御部では色信号変換部を、コンポジット信号用の色信号処理系｛（Ｙ／Ｃ）→（Ｙ／Ｕ／Ｖ）｝に切り替える。
【００２２】
コンポーネント信号が供給されているときは、輝度信号用の入力端子にピンプラグが差し込まれているので、そのときの検知信号レベルは（Ｖｃｃ）となる。このときは制御部ではコンポーネント信号が入力されているものと判断し、色信号変換部をコンポーネント信号用の色信号処理系｛（Ｙ／Ｃｒ／Ｃｂ）→（Ｙ／Ｕ／Ｖ）｝に切り替える。これで、外部ビデオ信号に応じた自動処理が可能になる。
【発明の効果】
【００２３】
この発明では、信号形式の異なる２つの外部ビデオ信号が供給される端子部の一部を共用構成とすると共に、端子部を構成する１つの入力端子をビデオ信号の検知手段として使用するようにしたものである。
【００２４】
これによれば、共用構成による端子数の削減を図れるため、薄型テレビのような場合でもその側面などに外部入力端子部を取り付けることができると共に、１つの入力端子がビデオ信号検知手段となっているので、その検知信号に基づいて外部ビデオ信号の入力状態を判別できる。その結果、入力外部ビデオ信号に対応した色信号処理系を自動的に切り替えできるので、マニュアルで第１と第２の外部ビデオ信号を選択する手間を省ける特徴を有する。
【発明を実施するための最良の形態】
【００２５】
続いて、この発明に係るテレビ受像機の好ましい実施例を図面を参照して詳細に説明する。
【実施例１】
【００２６】
図１はこの発明に係るテレビ受像機１０、特に外部ビデオ入力系を中心に図示した要部の系統図を示す。この実施例は、この発明の前提となる外部入力端子部の他に、現行機種と同じく受像器本体の背面側にも外部入力端子部が設けられている場合を示す。したがってそれ以外の外部入力端子部は、受像器本体の側面に設けられた場合を例示する。
【００２７】
上述したように図１に示す外部ビデオ入力系としては、背面側外部入力端子部２０と、側面側外部入力端子部３０を備える。背面側の外部入力端子部２０で選択できる外部ビデオ信号ＳＢとしては、従来と同じく７〜８種類程度のビデオ信号がセットされている。取り扱うことのできる外部ビデオ信号として、この例では２系統のコンポジット信号（コンポジット１および２）、２系統のコンポーネント信号（コンポーネント１および２）の他に、パーソナルコンピュータから出力された映像出力であるＰＣ信号（何れもアナログ信号）と、デジタル信号であるＨＤＭＩ信号（High Definition Multimedia Interface）である（対応する左右のオーディオ信号を含む）。
【００２８】
これに対して、側面側の外部入力端子部３０で選択できる外部ビデオ信号としては、例えば使用頻度の多い２種類の外部ビデオ信号ＳＳを設定する。この例では、第１の外部ビデオ信号としてコンポーネント信号が、第２の外部ビデオ信号としてコンポジット信号が設定される。
【００２９】
外部ビデオ信号ＳＢおよびＳＳは信号切り替え部４０に供給されて何れかの外部入力端子部２０又は３０の外部ビデオ信号が選択される。外部ビデオ信号ＳＢもまたその信号形式は、上述したコンポーネントタイプとコンポジットタイプの何れかである。外部ビデオ信号ＳＢ，ＳＳのうちのコンポーネント信号又はコンポジット信号は色信号変換部５０に供給されて、それぞれの色信号処理系に供給されることでＵ軸信号とＶ軸信号に色変換されて、デジタルのＹ／Ｕ／Ｖ信号が生成される。詳細は後述する。
【００３０】
このＹ／Ｕ／Ｖ信号はさらに映像処理回路６０に供給されて映像モニタ７０のサイズに応じた原色信号（Ｒ／Ｇ／Ｂ信号）に変換される。つまり、外部ビデオ信号が飛び越し走査信号（インタレース信号Ｉ）であるときはそれを順次式の信号（順次信号Ｐ）に変換するＩ／Ｐ変換処理、映像モニタ７０の画面サイズに応じた画素変換処理（スケール変換処理）および画質調整処理が行われて、映像モニタ用の映像処理が行われる。その後デジタルＹ／Ｕ／Ｖ信号がデジタルＲ／Ｇ／Ｂ信号（画素信号）に変換される。このＲ／Ｇ／Ｂ信号が映像モニタ７０に供給されて、映像が再現される。映像モニタ７０は、ＬＣＤ（液晶）モニタやプラズマモニタ、有機ＥＬモニタなどの平面モニタ（薄型モニタ）が使用される。
【００３１】
切り替え部４０より出力された左右のオーディオ信号Ｌ／Ｒはオーディオ処理回路８０、オーディオアンプ９０を経てこの例では左右のスピーカ９２Ｌ，９２Ｒに供給される。切り替え部４０などはＣＰＵよりなる制御部１００からの制御信号（ビデオ系制御信号とオーディオ系制御信号）によって所望のごとく処理される。制御部１００にはリモコン１１０からのリモコン信号（赤外線信号など）によって外部ビデオモードの切り替え処理、チャンネル切り替え処理などが行われる。
【００３２】
図２は色信号変換部５０の一例を示す。入力端子５０ａにはコンポーネント信号（Ｙ／Ｃｒ／Ｃｂ）が供給され、これはそのままスイッチング手段５２に供給される。一方、端子５０ｂに供給されたコンポジット信号は、Ｙ／Ｃ分離部５３に供給されて輝度信号Ｙと色信号Ｃとに分離される。その後、輝度信号Ｙと色信号Ｃは色信号分離部（クロマ信号分離部）５４に供給されて、輝度信号Ｙと一対の色差信号ＣＲ，Ｃｂに分離されて、コンポーネント信号における色信号系に統一した後、スイッチング手段５２に供給される。
【００３３】
スイッチング手段５２にはその入力端子５２ａに制御部１００からの切り替え制御信号Ｓｃが供給される。切り替え制御信号Ｓｃは、後述するように側面側の外部ビデオ入力モードが選択されているときに生成される信号であって、外部ビデオ信号としてコンポーネント信号が入力したときには、入力端子５０ａ側のコンポーネント信号が選択され、外部ビデオ信号がコンポジット信号であるときは、入力端子５０ｂ側に入力したコンポジット信号が選択される。つまり、外部入力端子部３０に供給された外部ビデオ信号に対応した切り替え制御が自動的に行われる。
【００３４】
選択された外部ビデオ信号（コンポーネント信号又はコンポジット信号）は次段の色軸変換部５５に供給されて、色差信号（Ｃｒ／Ｃｂ）からＵ軸信号とＶ軸信号からなる色信号（Ｕ／Ｖ）に変換される。その後、デジタル変換部５６においてアナログ信号がデジタル信号に変換され、端子５０ｃにデジタルＹＵＶ信号が出力される。
【００３５】
さて図３は、側面側の外部入力端子部３０の具体例を示す。外部入力端子部２０、３０のうち少なくとも側面側外部入力端子部３０に設けられた入力端子つまりコネクタとしてはピンジャックが使用される。ピンジャックをその入力端子として使用する場合には、第１の端子部３０Ａはコンポーネント信号を取り扱う端子部として機能し、第２の端子部３０Ｂはコンポジット信号を取り扱う端子部として機能する。
【００３６】
そのため、第１の端子部３０Ａは５ピン構成であり、第２の端子部３０Ｂは１ピン構成である。若しくは第１および第２の端子部３０Ａ，３０Ｂとも、同じ３ピン構成とすることもできるし、同一端子基板を使用して６ピン構成とすることもできる。図３は便宜的に第１の構成例を示した。
【００３７】
第１の端子部３０Ａを構成する３つの入力端子のうちの１つであるピンジャック３２には、コンポーネント信号のうち輝度信号Ｙが供給され、残りのピンジャック３３，３４には一対の色差信号Ｃｒ，Ｃｂがこの順で供給される。
【００３８】
第１の端子部３０Ａを構成する３つのピンジャック（入力端子）のうちの１つ、この例では輝度信号Ｙ用のピンジャック３２は、検知スイッチ付きのピンジャックであって、これは市販されているスイッチ付きのピンジャックを使用することができる。この検知スイッチ３９は第１の端子部３０Ａに供給される外部ビデオ信号（コンポーネント信号）の入力の有無を検知するためのスイッチとして機能する。
【００３９】
そのため、このピンジャック３２は４端子構成のピンジャックが使用され、信号端子３２ａは切り替え部４０に接続され、接地端子３２ｄは接地（アース）される。ピンジャック３２に差し込まれるピンプラグ（図示はしない）に連動して可動接点（ハッチングで図示）用の端子３２ｃが同じく接地される。
【００４０】
そして、この可動接点に接触している固定接点（黒塗りで図示）用の端子３２ｂは直接制御部１００の入力端子１００ａに接続されると共に、プルアップ抵抗器ＰＲを介して電源（Ｖｃｃ）に接続される。
【００４１】
他のピンジャック３３，３４にあってもその信号端子３３ａ，３４ａは切り替え部４０に接続され、接地端子３３ｂ，３４ｂは共通に接地される。同じく、第１の端子部３０Ａに設けられた左右のオーディオ信号用のピンジャック３５，３６にあっても、その信号端子３５ａ，３６ａは切り替え部４０に接続され、接地端子３５ｂ，３６ｂは共通に接地される。
【００４２】
第２の端子部３０Ｂの入力端子として機能するピンジャック３８も、その信号端子３８ａは切り替え部４０に接続され、接地端子３８ｂは接地される。
【００４３】
オーディオ信号用の入力端子であるピンジャック３５，３６はコンポーネント信号用のピンジャックでもあり、コンポジット信号用のピンジャックでもある。つまり、オーディオ信号用として兼用されている。このように、オーディオ信号用端子を兼用構成とすることで６本の入力端子だけで、２入力形式の外部ビデオ信号入力部３０を構成できる。
【００４４】
第１および第２の端子部３０Ａ，３０Ｂをこのように構成した場合、外部ソース例えばＤＶＤプレーヤの出力信号として、コンポジット信号が選択された場合にはその１本の信号ケーブルは第２の端子部３０Ｂ用のピンジャック３８に接続される。またＤＶＤプレーヤの出力信号としてコンポーネント信号が選択された場合、その３本の信号ケーブルは第１の端子部３０Ａの対応する３つのピンジャック３２，３３，３４に接続される。
【００４５】
輝度信号Ｙ用のピンジャック３２にピンプラグが差し込まれていないときは検知スイッチ３９は端子３２ｂ，３２ｃを介して接地された状態となっているから、制御部１００の入力端子１００ａの電圧検知レベルはゼロ（ＧＮＤ）となる。この電圧検知レベルをコンポジット信号が選択された状態とする。
【００４６】
一方ピンジャック３２に輝度信号Ｙ用のピンプラグが差し込まれると、検知スイッチ３９の端子３２ｂと３２ｃとは切り離された状態となるので、入力端子１００ａの電圧検知レベルは電源レベル（Ｖｃｃ）となる。したがってこの入力状態がコンポーネント信号の入力検知状態となる。
【００４７】
制御部１００ではこの入力検知状態を判別して切り替え制御信号Ｓｃが生成される。検知信号Ｓａの電圧検知レベルがゼロであるときには、端子５０ａのコンポーネント信号が自動的に選択され、そして検知信号Ｓａの電圧検知レベルが電源電圧であるときには、端子５０ｂのコンポジット信号が自動的に選択される。
【００４８】
ただしこの検知処理は、あくまでも外部ビデオ選択メニューで、側面側の外部入力端子部３０が選択されてからの処理である。したがって図４に示すように、まずはメニュー画面から外部ビデオ選択メニューを選択し、その後図４のトグルにしたがって側面側の外部入力モード（Ｖ７）を選択しておくことが必要である。この外部入力モード（Ｖ７）を選択すると、コンポーネント信号かコンポジット信号かは自動的に判断されるので、外部入力選択ステップが従来より１ステップだけ短くなる。なお、図４ではこの外部入力モード（Ｖ７）を、｛（コンポーネント／コンポジット）（側面）｝として示してある。
【００４９】
なお、この外部ビデオ選択メニューでは、背面側の外部ビデオ信号を優先させて選択できるようにしたフローであるが、側面側の外部ビデオ信号を優先させて選択できるようにすることもできる。
【００５０】
制御部１００では、図５に示すように側面側の外部入力モード（Ｖ７）であるかどうかを判断し（ステップ１２１）、そうであるならば次に検知信号Ｓａの電圧検知レベルを調べる（ステップ１２２）。上述したように電圧検知レベルが接地レベルであるときは、コンポジット信号に関する色信号処理系となるようにスイッチング手段５２が制御される（ステップ１２３）。電圧検知レベルが電源レベルであるときは、コンポーネント信号に関する色信号処理系となるようにスイッチング手段５２が制御される（ステップ１２４）。
【００５１】
上述した実施例で、検知スイッチ３９を第１の端子部３０Ａのうち、輝度信号Ｙ用のピンジャック３２に関連させたが、これは次のような理由による。
【００５２】
（１）ピンジャック３２にコンポーネント信号用のピンプラグが差し込まれたときは、必ずコンポーネント信号に関する映像が表示されるようにするためである。コンポジット信号よりはコンポーネント信号の方が画質の劣化が少ないため、画質のよい映像を再生できるようにするためである。
【００５３】
（２）コンポーネント信号とコンポジット信号の双方の信号ケーブルが、それぞれの入力端子に接続された場合でも、検知信号Ｓａはハイレベル（電源レベル）に反転し、コンポーネント信号が入力したものと判断して、コンポーネント信号がセレクトされる。このように、コンポジット信号よりもコンポーネント信号の入力を優先させたのは、再生画質が、コンポジット信号よりもコンポーネント信号の方が優れているからである。
【００５４】
（３）他のピンジャック３３や３４は、色信号が供給される端子であるので、これらピンジャック３３，３４よりは輝度信号Ｙ用のピンジャック３２の方が、確実にコンポーネント信号か否かを検知できるからである。
【００５５】
コンポーネント信号としては、ＮＴＳＣ信号を例示したが、ＮＴＳＣ信号以外の信号でもこの発明は適用できる。その場合のコンポーネント信号は（Ｙ／Ｐｒ／Ｐｂ）となる。
【００５６】
外部入力端子部３０は受像器本体の側面部ではなく、前面に設けられている場合でもよい。外部入力端子２０が設けられていない簡易型のテレビ受像機であってもこの発明を適用できる。この場合には、図４に示すトグル処理が不要になる。
テレビ受像機としては、ＣＲＴを使用した従来のテレビ受像機であってもよい。
【産業上の利用可能性】
【００５７】
この発明は、薄型テレビ受像機に適用して好適である。
【図面の簡単な説明】
【００５８】
【図１】この発明に係るテレビ受像機の一例を示す要部の系統図である。
【図２】色信号変換部の一例を示す系統図である。
【図３】外部入力端子部の一例を示す接続図である。
【図４】外部ビデオ入力選択処理例を示すフローチャートである。
【図５】外部ビデオ信号の自動選択処理例を示すフローチャートである。
【図６】従来のテレビ受像機の系統図である。
【図７】その説明に供するフローチャートである。
【符号の説明】
【００５９】
１０・・・テレビ受像機、２０，３０・・・外部入力端子部、４０・・・切り替え部、５０・・・色信号変換部、６０・・・映像処理部、７０・・・映像モニタ、８０・・・オーディオ処理部、１００・・・制御部、３２〜３８・・・ピンジャック（入力端子）、３９・・・検知スイッチ、ＰＲ・・・プルアップ抵抗器、
Ｓａ・・・検知信号
【図１】
2007006150.tif 000003
【図２】
2007006150.tif 000004
【図３】
2007006150.tif 000005
【図４】
2007006150.tif 000006
【図５】
2007006150.tif 000007
【図６】
2007006150.tif 000008
【図７】
2007006150.tif 000009